(57)【要約】【課題】一つのファンが故障して停止した場合でも、冷却性能の著しい落ち込みを防止できる（必要最低限の冷却性能を確保できる）こと。【解決手段】室内ファン５（第１のファンと第２のファン）は、熱交換コア４の上部に整流板９を挟んで２個配置されている。整流板９は、第１のファンと第２のファンとの間を略全域に亘って仕切っている。但し、整流板９の下部後側には、第１のファン及び第２のファンから吐出された空気をコア全域に送り込むために、両者間を連通する切欠き９ａが設けられている。この構成によれば、第１のファンが故障した場合に、第２のファンから吐出された空気の一部が整流板９の下側を通り抜けて第１のファン側へ流れ込むことを抑制できる。その結果、第２のファンから吐出された空気を有効に熱交換コア４に供給できるので、冷却性能の著しい落ち込みを防止できる。【選択図】        図４
2004150723.tif 000002
【特許請求の範囲】
【請求項１】
筐体の内部空気と外部空気とを熱交換させる熱交換コアと、
前記筐体の内部空気を前記熱交換コアに供給する室内ファンと、
前記筐体の外部空気を前記熱交換コアに供給する室外ファンとを備え、
前記室内ファンと前記室外ファンのうち、少なくとも一方のファンは、整流板を間に置いて並設される第１のファンと第２のファンとを有し、その第１のファンと第２のファンが、共に軸方向から吸い込んだ空気を遠心方向に吐出する遠心式ファンであり、且つ前記第１のファンと前記第２のファンが、それぞれ吸込口側から見て右回転する時に、前記整流板の左側に前記第１のファン、右側に前記第２のファンが配置される構成、あるいは吸込口側から見て左回転する時に、前記整流板の右側に前記第１のファン、左側に前記第２のファンが配置される構成において、
前記整流板は、前記第１のファンと前記第２のファンとの間で、少なくとも互いのファンブレード間を径方向全体に亙って配設されていることを特徴とする冷却装置。
【請求項２】
筐体の内部空気と外部空気とを熱交換させる熱交換コアと、
前記筐体の内部空気を前記熱交換コアに供給する室内ファンと、
前記筐体の外部空気を前記熱交換コアに供給する室外ファンとを備え、
前記室内ファンと前記室外ファンのうち、少なくとも一方のファンは、整流板を間に置いて並設される第１のファンと第２のファンとを有し、その第１のファンと第２のファンが、共に軸方向から吸い込んだ空気を遠心方向に吐出する遠心式ファンであり、且つ前記第１のファンと前記第２のファンが、それぞれ吸込口側から見て右回転する時に、前記整流板の左側に前記第１のファン、右側に前記第２のファンが配置される構成、あるいは吸込口側から見て左回転する時に、前記整流板の右側に前記第１のファン、左側に前記第２のファンが配置される構成において、
前記第１のファンと前記第２のファンは、それぞれ板状のブラケットに取り付けて固定され、そのブラケットの後側に、前記第１のファン及び前記第２のファンから吐出された空気の一部を前記熱交換コアに送り込む送風空間が形成されていることを特徴とする冷却装置。
【請求項３】
筐体の内部空気と外部空気とを熱交換させる熱交換コアと、
前記筐体の内部空気を前記熱交換コアに供給する室内ファンと、
前記筐体の外部空気を前記熱交換コアに供給する室外ファンとを備え、
前記室内ファンと前記室外ファンのうち、少なくとも一方のファンは、整流板を間に置いて並設される第１のファンと第２のファンとを有し、その第１のファンと第２のファンが、共に軸方向から吸い込んだ空気を遠心方向に吐出する遠心式ファンであり、
前記第１のファンと前記第２のファンは、それぞれ吸込口側から見て前記整流板の左側に前記第１のファン、右側に前記第２のファンが配置され、且つ前記第１のファンが左回転、前記第２のファンが右回転に制御されることを特徴とする冷却装置。
【請求項４】
筐体の内部空気と外部空気とを熱交換させる熱交換コアと、
前記筐体の内部空気を前記熱交換コアに供給する室内ファンと、
前記筐体の外部空気を前記熱交換コアに供給する室外ファンとを備え、
前記室内ファンと前記室外ファンのうち、少なくとも一方のファンは、整流板を間に置いて並設される第１のファンと第２のファンとを有し、その第１のファンと第２のファンが、共に軸方向から吸い込んだ空気を遠心方向に吐出する遠心式ファンであり、且つ前記第１のファンと前記第２のファンが、それぞれ吸込口側から見て右回転する時に、前記整流板の左側に前記第１のファン、右側に前記第２のファンが配置される構成、あるいは吸込口側から見て左回転する時に、前記整流板の右側に前記第１のファン、左側に前記第２のファンが配置される構成において、
前記第１のファンを前記第２のファンより小型化したことを特徴とする冷却装置。
【請求項５】
筐体の内部空気と外部空気とを熱交換させる熱交換コアと、
前記筐体の内部空気を前記熱交換コアに供給する室内ファンと、
前記筐体の外部空気を前記熱交換コアに供給する室外ファンと、
前記室内ファンと前記室外ファンの回転数を制御する制御装置とを備え、
前記室内ファンは、前記熱交換コアに対して並設された第１のファンと第２のファンとを有し、
前記室外ファンは、前記熱交換コアに対して並設され、且つ前記第１のファンに対応する第３のファンと前記第２のファンに対応する第４のファンとを有し、前記制御装置は、前記第１のファンと前記第３のファンの少なくとも一方が故障した時に、前記第２のファンと前記第４のファンの回転数を通常運転時より高くし、前記第２のファンと前記第４のファンの少なくとも一方が故障した時に、前記第１のファンと前記第３のファンの回転数を通常運転時より高くすることを特徴とする冷却装置。
【発明の詳細な説明】
【０００１】
【発明の属する技術分野】
本発明は、筐体の内部空気と外部空気とを熱交換させて筐体の内部を冷却する冷却装置に関する。
【０００２】
【従来の技術】
例えば、携帯電話の通信基地局は、内部無線機が稼働して発熱するため、基地局の内部を冷却する冷却装置が備えられている。
しかし、基地局の内部を冷却する際に、内部無線機に塵や埃、あるいは水分等が付着すると作動不良を招くことがあるため、基地局の内部に直接外気を取り入れて換気することが困難である。
そこで、例えば特許文献１に記載されている様に、冷却装置として、基地局の内部空気と外部空気とを強制的に熱交換させるＡｉｒ−ｔｏ−Ａｉｒ方式の熱交換機が多く採用されている。
【０００３】
この熱交換機は、図９に示す様に、熱交換コア１００  と、この熱交換コア１００  に基地局の内部空気を供給する室内ファン１１０  、及び熱交換コア１００  に基地局の外部空気を供給する室外ファン（図示しない）を備え、その室内ファン１１０  と室外ファンとをそれぞれ２個ずつ搭載している。これにより、例えば室内ファン１１０  の１個が故障して停止しても、残りの室内ファン１１０  の回転制御を続けることで、必要最低限の冷却能力を確保することができる。その結果、サービスマンが現地メンテナンス（故障した室内ファン１１０  の交換等）を実施するまでの間も、熱交換機の運転を継続して基地局の内部を冷却することが可能である。
【０００４】
【特許文献１】
特願平１１−２７６７６４  号公報
【０００５】
【発明が解決しようとする課題】
ところが、上記の熱交換機に用いられる室内ファン１１０  及び室外ファンは、軸方向から吸い込んだ空気を遠心方向に吐出するターボファン（遠心式ファン）であるため、例えば図９（ｂ）に示す左側の室内ファン１１０  が停止して右側の室内ファン１１０  のみ回転した場合に、以下の問題が生じる。
図９（ｂ）に示す２個の室内ファン１１０  は、ファンブレードの向きから共に右回転（図示時計回り）に制御される。ここで、左側の室内ファン１１０  が停止すると、図示矢印で示す様に、右側の室内ファン１１０  から吐出された空気の一部が、両ファン１１０  の間に設置される整流板１２０  の下側を通り抜けて整流板１２０  の左側へ流れ込み、更に左側の室内ファン１１０  の周方向に隣合うファンブレード間の隙間からファン内部へ流入した後、図９（ａ）に矢印で示すように、室内ファン１１０  の吸込口１３０  から流出する。
【０００６】
この結果、左側の室内ファン１１０  が停止した上に、右側の室内ファン１１０  から吐出された空気の一部も熱交換コア１００  に供給されないため、熱交換機の冷却性能が著しく低下して、必要最低限の冷却性能を確保できなくなる。
なお、整流板１２０  は、２個の室内ファン１１０  の間を完全に遮断することはなく、図１０に示すように、室内ファン１１０  から吐出された空気が、熱交換コア１００  の全体に送り込まれる様に、整流板１２０  の下側に開口部が設けられている。
【０００７】
一方、図９（ｂ）に示す右側の室内ファン１１０  が停止して左側の室内ファン１１０  のみ回転する場合は、以下の理由により、左側の室内ファン１１０  が停止した場合の様な冷却性能の著しい落ち込みは生じない。
▲１▼左側の室内ファン１１０  から吐出された空気の多くが整流板１２０  に沿って図示下方（熱交換コア１００  の方向）へ流れる。
▲２▼左側の室内ファン１１０  から吐出された空気の一部が整流板１２０  を超えて右側へ流れ込んでも、右側の室内ファン１１０  のファンブレードの向きが空気の流れを遮る（通風抵抗になる）方向に配置されているため、室内ファン１１０  の内部を空気が逆流して吸込口１３０  から吹き出されることはない。
【０００８】
本発明は、上記事情に基づいて成されたもので、その目的は、一つのファンが故障して停止した場合でも、冷却性能の著しい落ち込みを防止できる（必要最低限の冷却性能を確保できる）冷却装置を提供することにある。
【０００９】
【課題を解決するための手段】
（請求項１の発明）
本発明の冷却装置は、熱交換コアに筐体の内部空気を供給する室内ファンと、筐体の外部空気を供給する室外ファンとを備える。その室内ファンと室外ファンのうち、少なくとも一方のファンは、整流板を間に置いて並設される第１のファンと第２のファンとを有し、その第１のファンと第２のファンが、共に軸方向から吸い込んだ空気を遠心方向に吐出する遠心式ファンであり、且つ第１のファンと第２のファンが、それぞれ吸込口側から見て右回転する時に、整流板の左側に第１のファン、右側に第２のファンが配置される構成、あるいは吸込口側から見て左回転する時に、整流板の右側に第１のファン、左側に第２のファンが配置される構成において、整流板は、第１のファンと第２のファンとの間で、少なくとも互いのファンブレード間を径方向全体に亙って配設されている。
【００１０】
上記の構成によれば、第１のファンが故障により停止した場合に、第２のファンから吐出された空気の一部が整流板を超えて第１のファンの内部に流れ込むことを抑制できる。その結果、第２のファンから吐出された空気を有効に熱交換コアに供給できるので、第１のファンが停止しても、冷却性能が著しく低下することはなく、必要最低限の冷却性能を確保できる。
【００１１】
（請求項２の発明）
本発明の冷却装置は、熱交換コアに筐体の内部空気を供給する室内ファンと、筐体の外部空気を供給する室外ファンとを備える。その室内ファンと室外ファンのうち、少なくとも一方のファンは、整流板を間に置いて並設される第１のファンと第２のファンとを有し、その第１のファンと第２のファンが、共に軸方向から吸い込んだ空気を遠心方向に吐出する遠心式ファンであり、且つ第１のファンと第２のファンが、それぞれ吸込口側から見て右回転する時に、整流板の左側に第１のファン、右側に第２のファンが配置される構成、あるいは吸込口側から見て左回転する時に、整流板の右側に第１のファン、左側に第２のファンが配置される構成において、第１のファンと第２のファンは、それぞれ板状のブラケットに取り付けて固定され、そのブラケットの後側に、第１のファン及び第２のファンから吐出された空気の一部を熱交換コアに送り込む送風空間が形成されている。
【００１２】
上記の構成によれば、第１のファンが故障により停止した時に、その第１のファンの内部を通る通風経路と比較して、ブラケットの後側に形成される送風空間の方が遥かに圧損が小さいので、第２のファンから吐出された空気の一部は、第１のファンの内部を逆流することは殆どなく、より圧損の小さい送風空間を優先的に流れて熱交換コアに供給される。その結果、第２のファンから吐出された空気を有効に熱交換コアに供給できるので、第１のファンが停止しても、冷却性能が著しく低下することはなく、必要最低限の冷却性能を確保できる。
【００１３】
（請求項３の発明）
本発明の冷却装置は、熱交換コアに筐体の内部空気を供給する室内ファンと、筐体の外部空気を供給する室外ファンとを備える。その室内ファンと室外ファンのうち、少なくとも一方のファンは、整流板を間に置いて並設される第１のファンと第２のファンとを有し、その第１のファンと第２のファンが、共に軸方向から吸い込んだ空気を遠心方向に吐出する遠心式ファンであり、それぞれ吸込口側から見て整流板の左側に第１のファン、右側に第２のファンが配置され、且つ第１のファンが左回転、第２のファンが右回転に制御される。
【００１４】
上記の構成によれば、第１のファンの回転方向を第２のファンの回転方向と逆向きの左回転としたことから、第１のファンが故障により停止した時に、第２のファンから吐出された空気の一部が整流板を超えて第１のファン側へ流れ込んでも、その空気の流れを第１のファンのファンブレードによって遮る（通風抵抗になる）ことができる。その結果、第２のファンから吐出された空気を有効に熱交換コアに供給できるので、第１のファンが停止しても、冷却性能が著しく低下することはなく、必要最低限の冷却性能を確保できる。
【００１５】
（請求項４の発明）
本発明の冷却装置は、熱交換コアに筐体の内部空気を供給する室内ファンと、筐体の外部空気を供給する室外ファンとを備える。その室内ファンと室外ファンのうち、少なくとも一方のファンは、整流板を間に置いて並設される第１のファンと第２のファンとを有し、その第１のファンと第２のファンが、共に軸方向から吸い込んだ空気を遠心方向に吐出する遠心式ファンであり、且つ第１のファンと第２のファンが、それぞれ吸込口側から見て右回転する時に、整流板の左側に第１のファン、右側に第２のファンが配置される構成、あるいは吸込口側から見て左回転する時に、整流板の右側に第１のファン、左側に第２のファンが配置される構成において、第１のファンを第２のファンより小型化している。
【００１６】
上記の構成によれば、第１のファンの外径が第２のファンより小さいため、必然的に第１のファンの周方向に隣合うファンブレード間の隙間も小さくなる（通風抵抗が大きくなる）。従って、第１のファンが故障により停止した時に、第２のファンから吐出された空気の一部が第１のファンの内部を逆流して吸込口から流出する量を低減できる。その結果、第２のファンから吐出された空気を有効に熱交換コアに供給できるので、第１のファンが停止しても、冷却性能が著しく低下することはなく、必要最低限の冷却性能を確保できる。
【００１７】
（請求項５の発明）
本発明の冷却装置は、熱交換コアに筐体の内部空気を供給する室内ファンと、筐体の外部空気を供給する室外ファン、及び室内ファンと室外ファンの回転数を制御する制御装置とを備える。
室内ファンは、熱交換コアに対して並設された第１のファンと第２のファンとを有し、室外ファンは、熱交換コアに対して並設され、且つ第１のファンに対応する第３のファンと第２のファンに対応する第４のファンとを有している。
制御装置は、第１のファンと第３のファンの少なくとも一方が故障した時に、第２のファンと第４のファンの回転数を通常運転時より高くし、第２のファンと第４のファンの少なくとも一方が故障した時に、第１のファンと第３のファンの回転数を通常運転時より高くする。
【００１８】
上記の構成によれば、第１のファンまたは第３のファンが故障により停止した時に、第２のファンと第４のファンの回転数を通常運転時より高く制御することにより、熱交換コアの例えば右側を通過する空気風量をアップさせることができる。その結果、熱交換コアの右側での熱交換率を高めることができ、第１のファンまたは第３のファンが停止したことによる冷却性能の低下を抑制できる。
同様に、第２のファンまたは第４のファンが故障により停止した時に、第１のファンと第３のファンの回転数を通常運転時より高く制御することにより、熱交換コアの例えば左側を通過する空気風量をアップさせることができる。その結果、熱交換コアの左側での熱交換率を高めることができ、第２のファンまたは第４のファンが停止したことによる冷却性能の低下を抑制できる。
【００１９】
【発明の実施の形態】
次に、本発明の実施形態を図面に基づいて説明する。
（第１実施例）
図１は冷却装置１（熱交換機）の全体構成を示す模式図であり、（ａ）室外側正面図、（ｂ）側面断面図、（ｃ）室内側正面図である。
本実施例の冷却装置１は、図１（ｂ）に示すように、携帯電話の通信基地局２に使用され、略密閉化された基地局２の内部空気と外部空気とを熱交換して基地局２の内部を冷却するものである。なお、基地局２の内部には、常時稼働して発熱する無線機（図示しない）が設置されている。
【００２０】
冷却装置１は、ケーシング３と、このケーシング３に収納される熱交換コア４、室内ファン５、及び室外ファン６等より構成され、室内ファン５と室外ファン６の回転数を制御するコントローラ７を備えている。
ケーシング３には、室外側の側面に外気吸込口３ａと外気吹出口３ｂとが形成され、室内側の側面に内気吸込口３ｃと内気吹出口３ｄとが形成されている。
熱交換コア４は、図２に示すように、内気通路４ａと外気通路４ｂとが交互に隣接して設けられ、各通路毎にコルゲートタイプのルーバフィン８が配設されている。
【００２１】
室内ファン５は、基地局２の内部空気（高温空気）を熱交換コア４の各内気通路４ａに供給するもので、図３に示すように、熱交換コア４の上部に整流板９を挟んで２個配置されている。
室外ファン６は、基地局２の外部空気（低温空気）を熱交換コア４の各外気通路４ｂに供給するもので、熱交換コア４の下部に整流板（図示しない）を挟んで２個配置されている。
この室内ファン５と室外ファン６は、共に軸方向から吸い込んだ空気を遠心方向に吐出するターボファン（遠心式ファン）であり、吸込口側から見て右回転に制御される。
【００２２】
ここで、２個の室内ファン５は、両者の間に設置される整流板９に対して、左側に配置される室内ファン５を第１のファン５Ａ、右側に配置される室内ファン５を第２のファン５Ｂと呼ぶ。
整流板９は、第１のファン５Ａ及び第２のファン５Ｂが配置される空間（ケーシング３の内部で熱交換コア４の上部に形成される空間）を、第１のファン５Ａと第２のファン５Ｂとの間で略全域に亙って仕切っている。具体的には、第１のファン５Ａと第２のファン５Ｂとの間で、互いのファンブレード５ａ（図３参照）の上端から下端までの径方向全体に配設されている。但し、整流板９の下部後側には、図４に示すように、第１のファン５Ａ及び第２のファン５Ｂから吐出された空気をコア全域に送り込むために、両者間を連通する切欠き９ａが設けられている。
【００２３】
なお、２個の室外ファン６の間に設置される整流板は、従来と同様の形状（整流板の下側全体が開いている）でも良いし、２個の室内ファン５の間に設置される整流板９と同様の形状でも良い。
コントローラ７は、４個のファン（２個の室内ファン５と２個の室外ファン６）を同一回転数にて制御している。このコントローラ７は、図３に示すように、第１のファン５Ａに隣接して整流板９と反対側に配置され、第１のファン５Ａから吐出される空気によって冷却される。
【００２４】
次に、本実施例の作用及び効果を説明する。
室内ファン５（第１のファン５Ａと第２のファン５Ｂ）の回転により、基地局２の内部空気（内気）が熱交換コア４の各内気通路４ａを図２に示す矢印方向に流れ、室外ファン６の回転により、基地局２の外部空気（外気）が熱交換コア４の各外気通路４ｂを図２に示す矢印方向に流れる。基地局２の内部空気は、基地局２の内部に設置される無線機等から発生する熱によって温度上昇し、外部空気より高温となっている。従って、熱交換コア４に供給された高温の内部空気と低温の外部空気との間で熱交換が行われ、内部空気の熱が外部空気に放出されて、内部空気の温度が低下する。
【００２５】
本実施例の冷却装置１は、２個の室内ファン５と２個の室外ファン６を有しているので、例えば室内ファン５（または室外ファン６）の１個が故障しても、残りの室内ファン５（または室外ファン６）の回転制御を続けることにより、必要最低限の冷却性能を確保することができる。特に、２個の室内ファン５のうち、第１のファン５Ａが故障した場合には、整流板９がファンブレード５ａの上端から下端までの径方向全体に亙って配設されているので、第２のファン５Ｂから吐出された空気の一部が整流板９の下側（熱交換コア４側）を通り抜けて第１のファン５Ａ側へ流れ込むことを抑制できる。その結果、第２のファン５Ｂから吐出された空気を有効に熱交換コア４に供給できるので、第１のファン５Ａが停止しても、冷却性能が著しく落ち込むことを防止できる。
【００２６】
また、整流板９には、切欠き９ａ（図４参照）を設けているので、第２のファン５Ｂから吐出された空気が熱交換コア４の片側だけに偏って流れることもなく、熱交換コア４の全域に送り込むことが可能であり、熱交換コア４の全体を有効に使用できる。
【００２７】
（第２実施例）
図５は室内ファン５の取り付け構造を示す平面図である。
本実施例では、図５に示すように、第１のファン５Ａと第２のファン５Ｂとが板状のブラケット１０に固定され、そのブラケット１０の後側（図５の上側）に、第１のファン５Ａ及び第２のファン５Ｂから吐出された空気の一部を熱交換コア４に送り込むための送風空間１１が形成されている。ブラケット１０は、上下方向の高さが、第１のファン５Ａ及び第２のファン５Ｂの外径より小さく、ブラケット１０の上側及び下側に、それぞれ空間が確保されている。
また、第１のファン５Ａと第２のファン５Ｂとの間に設置される整流板９は、第１実施例に記載した切欠き９ａ（図４参照）を有することなく、ブラケット１０の前側で第１のファン５Ａと第２のファン５Ｂとの間を遮断している。
【００２８】
本実施例の構成によれば、第１のファン５Ａが故障により停止した時に、その第１のファン５Ａの内部を通る通風経路と比較して、ブラケット１０の後側に形成される送風空間１１の方が遥かに圧損が小さいので、第２のファン５Ｂから吐出された空気の一部は、第１のファン５Ａの内部を逆流することは殆どなく、より圧損の小さい送風空間１１を優先的に流れて熱交換コア４に供給される。その結果、第２のファン５Ｂから吐出された空気を有効に熱交換コア４に供給できるので、第１のファン５Ａが停止しても、冷却性能が著しく低下することはなく、必要最低限の冷却性能を確保できる。
【００２９】
（第３実施例）
図６は室内ファン５の吸込口側から見た正面図である。
本実施例は、図６に示すように、第１のファン５Ａのファンブレード５ａの向きを第１及び第２実施例とは逆向きにして、第１のファン５Ａの回転方向を図示矢印で示すように、左回転に制御する一例である。
これにより、第１のファン５Ａが故障により停止した時に、第２のファン５Ｂから吐出された空気の一部が整流板９の下側から第１のファン５Ａ側へ流れ込んでも、その空気の流れを第１のファン５Ａのファンブレード５ａによって遮る（通風抵抗になる）ことができ、第１のファン５Ａの内部を逆流して内気吸込口３ｃ（図１参照）から流出することを防止できる。
その結果、第２のファン５Ｂから吐出された空気を有効に熱交換コア４に供給できるので、第１のファン５Ａが停止しても、冷却性能が著しく低下することはなく、必要最低限の冷却性能を確保できる。
【００３０】
（第４実施例）
図７は室内ファン５の吸込口側から見た正面図である。
本実施例は、図７に示すように、第１のファン５Ａを第２のファン５Ｂより小型化した一例である。
この構成によれば、第１のファン５Ａの外径が第２のファン５Ｂより小さいため、必然的に第１のファン５Ａの周方向に隣合うファンブレード５ａ間の隙間も小さくなる（通風抵抗が大きくなる）。従って、第１のファン５Ａが故障により停止した時に、第２のファン５Ｂから吐出された空気の一部が第１のファン５Ａの内部を逆流して内気吸込口３ｃ（図１参照）から流出する量を低減できる。その結果、第２のファン５Ｂから吐出された空気を有効に熱交換コア４に供給できるので、第１のファン５Ａが停止しても、冷却性能が著しく低下することはなく、必要最低限の冷却性能を確保できる。
【００３１】
（第５実施例）
図８は冷却装置１の全体構成を示す模式図である。
本実施例は、例えば第１のファン５Ａが故障した場合に、その他のファン（第２のファン５Ｂと２個の室外ファン６）の回転数を変更して制御する場合の一例である。
なお、本実施例では、２個の室外ファン６を、両者間に設置される整流板（図示しない）の左側に配置される第３のファン６Ａと、整流板の右側に配置される第４のファン６Ｂとして説明する。
【００３２】
コントローラ７は、２個の室内ファン５と、２個の室外ファン６とが全て正常に回転している通常運転時と、例えば第１のファン５Ａが故障した場合とで、各ファン５Ａ、５Ｂ、６Ａ、６Ｂの回転数を、下記の表１に示すように制御する。
【表１】
2004150723.tif 000003
ａ）通常運転時…２個の室内ファン５と２個の室外ファン６を一律に同一回転数（例えば２２００ｒｐｍ  ）にて制御する。
ｂ）第１のファン５Ａが故障した場合…第２のファン５Ｂと第４のファン６Ｂの回転数を通常運転時より高い、例えば２６００ｒｐｍ  にて制御し、第３のファン６Ａの回転数を第２のファン５Ｂと第４のファン６Ｂの回転数より低い、例えば２３００ｒｐｍ  にて制御する。
【００３３】
これにより、第１のファン５Ａが停止した場合に、熱交換コア４の片側（図８の右側）を通過する空気風量をアップさせることができるので、熱交換コア４の片側での熱交換率を高めることができる。その結果、第１のファン５Ａが停止したことによる冷却性能の低下を抑制でき、消費電力を大幅に増大させることなく、必要最低限の冷却性能を確保できる。
なお、第１のファン５Ａ以外のファンが故障した場合でも、上記と同様の回転数制御を実施することは言うまでもない（例えば第２のファン５Ｂが故障した場合は、第１のファン５Ａと第３のファン６Ａの回転数を通常運転時より高くし、第４のファン６Ｂの回転数を第１のファン５Ａと第３のファン６Ａの回転数より低く制御する）。
【図面の簡単な説明】
【図１】冷却装置（熱交換機）の室外側正面図（ａ）、側面断面図（ｂ）、及び室内側正面図（ｃ）である。
【図２】熱交換コアの斜視図である。
【図３】室内ファンの吸込口側から見た正面図である。
【図４】整流板の取り付け状態を示す側面図である。
【図５】室内ファンの取り付け構造を示す平面図である（第２実施例）。
【図６】室内ファンの吸込口側から見た正面図である（第３実施例）。
【図７】室内ファンの吸込口側から見た正面図である（第４実施例）。
【図８】冷却装置の全体構成を示す模式図である（第５実施例）。
【図９】熱交換機の室内ファン側を示す側面図（ａ）と正面図（ｂ）である（従来技術）。
【図１０】整流板の取り付け状態を示す側面図である（従来技術）。
【符号の説明】
１    冷却装置
２    基地局（筐体）
３ａ  外気吸込口
３ｃ  内気吸込口
４    熱交換コア
５    室内ファン
５Ａ  第１のファン（室内ファン）
５Ｂ  第２のファン（室内ファン）
６    室外ファン
６Ａ  第３のファン（室外ファン）
６Ｂ  第４のファン（室外ファン）
７    コントローラ（制御装置）
９    整流板
１０    ブラケット
１１    送風空間
【図１】
2004150723.tif 000004
【図２】
2004150723.tif 000005
【図３】
2004150723.tif 000006
【図４】
2004150723.tif 000007
【図５】
2004150723.tif 000008
【図６】
2004150723.tif 000009
【図７】
2004150723.tif 000010
【図８】
2004150723.tif 000011
【図９】
2004150723.tif 000012
【図１０】
2004150723.tif 000013